(57)【要約】  【課題】利用者が好むアーティストの新譜を容易かつ効率的に知らしめることができ、利用者ができるだけ早いタイミングでその新譜を歌唱できるようにする電子目次本機能付きカラオケリモコン装置の提供。  【解決手段】所定の検索モードによる検索にてヒットしたカラオケ楽曲の中から、利用者が任意のカラオケ楽曲を指定した状態で新譜データ抽出操作を行った場合、当該指定楽曲と同じアーティストに属する新譜データがあれば、これを表示させる機能をカラオケリモコン装置に付帯させた。【選択図】図５
2005283806.tif 000002
【特許請求の範囲】
【請求項１】
利用者が所望するカラオケ楽曲の検索機能や対応するカラオケ演奏装置への当該カラオケ楽曲の予約登録機能を有する電子目次本機能付きカラオケリモコン装置において、
新譜データとその抽出機能を備えてなり、対応するカラオケ演奏装置へカラオケ楽曲を予約登録する際、所定の検索モードによる検索にてヒットしたカラオケ楽曲の中から、利用者が任意のカラオケ楽曲を指定した状態で新譜データ抽出操作を行った場合、当該指定楽曲と同じアーティストに属する新譜データがあれば、これを表示させる機能を有してなるカラオケリモコン装置。
【請求項２】
前記所定の検索モードが曲名検索モードである請求項１記載のカラオケリモコン装置。
【発明の詳細な説明】
【技術分野】
【０００１】
本発明は、電子目次本機能付きカラオケリモコン装置に関し、さらに詳しくは、利用者が好むアーティストの新譜のカラオケ楽曲を容易に選曲できるカラオケリモコン装置に関する。
【背景技術】
【０００２】
最近のカラオケシステムで利用される電子目次本機能付きカラオケリモコン装置は、ノート型パソコンやパームトップ型パソコンに類似したコンピュータ応用機器として製品化されており、その内蔵するハードディスクや不揮発性メモリなどの外部記憶には、その対応するカラオケ演奏装置におけるカラオケ楽曲データベースが収納するカラオケ楽曲についての属性情報を格納し、これを楽曲索引データベースとして管理している。この楽曲索引データベースに与えられる検索キーワードの属性情報に応じて、新譜検索、曲名検索、歌手名検索、グループ検索、デュエット検索、ジャンル検索、あの頃検索などといった様々な検索モードが備えられている。
【０００３】
利用者が入力した検索キーワードを属性情報に関するクエリーとして、楽曲索引データベースを用いて検索すると、ヒットしたカラオケ楽曲について、その曲名や歌手名あるいは楽曲ＩＤコードなどの属性情報を伴って一覧表示される。そして、利用者が所望するカラオケ楽曲が最終的に指定されたならば、その楽曲のＩＤコードを演奏予約のためのリモコン信号として所定のカラオケ演奏装置に転送し、カラオケ演奏装置がこのリモコン信号を受信すると、その信号に含まれている楽曲ＩＤコードは演奏予約の待ち行列として管理され、ピックアップされた楽曲ＩＤコードに対応するカラオケ楽曲が順次演奏される。
【０００４】
このような電子目次本機能付きカラオケリモコン装置に関しては、従来、特にその検索機能についての発明が多々想到されてきた。例えば、特許文献１では、かな文字入力による曲名もしくは歌手名による検索により充分に楽曲を絞り込むことができなかった場合、曲名もしくは歌手名により既に選出した楽曲に対し、さらにジャンルなどの属性により楽曲を絞り込むこともできるようにした技術が開示されている。また、特許文献２では、利用者入力によりアーティスト名が特定された場合、楽曲アルバムデータベースを用いて、各アルバムジャケット画像をアルバムタイトルと一緒に一覧表示し、利用者が所望する楽曲アルバムが特定されると、その楽曲アルバムに収録されている楽曲のタイトルを一覧表示する技術が開示されている。さらに、特許文献３では、検索条件となる年代を特定する際、利用者の現在の年齢または生まれた年代を入力すると共に、検索対象となる年代が利用者にとって何歳時あるいは何年生時かを入力すると、これらの入力に基づき、検索対象となる年代を特定する技術が開示されている。
【特許文献１】特開２０００−０９９０４８号公報
【特許文献２】特開２００２−３５１４７９号公報
【特許文献３】特開２００３−１４０６６９号公報
【発明の開示】
【発明が解決しようとする課題】
【０００５】
ところで、電子目次本機能付きカラオケリモコン装置を用いて、利用者が所望するカラオケ楽曲を指定する際、利用者は新譜データから選曲する場合がある。現在では、新譜のカラオケ楽曲は通信カラオケシステムにて毎月５００曲以上も配信されており、その新譜データは週替わりで逐次更新されている。図７はこのような新譜データを付帯したカラオケリモコン装置の新譜検索モード画面であるが、この新譜検索モード画面（Ｄ８）には、例えば、最近発表された新曲に対応した「NewRelease」アイコン（２６ａ）、新曲ではないが追加的に新たに配信された楽曲に対応した「追加曲」アイコン（２６ｂ）、最近発表された新アルバムに含まれる楽曲に対応した「アルバム新譜」アイコン（２６ｃ）、外国曲の新曲ないし追加曲に対応した「外国曲新譜」アイコン（２６ｄ）などからなる新譜ジャンル別項目（２６）が設定され、利用者は、何れかのアイコン（２６ａ〜２６ｄ）をタッチすると、その新譜ジャンルに属するカラオケ楽曲を一覧表示させることができる。
【０００６】
このように、現在の新譜検索モードでは、新譜データは様々なジャンルに区分けされ、利用者はこの新譜ジャンルを特定することで所望の楽曲を絞り込むことができるといったように利便性が向上している。しかしながら、一般的に見ると、利用者にはそれぞれ好みのアーティストがいて、そのアーティストの楽曲を歌唱したがる傾向が強く、特に、好きなアーティストの新譜が出た場合には、できるだけ早いタイミングで歌唱したいのが人情である。ところが、従来の新譜検索システムでは、アーティスト別の新譜検索や新譜表示は行われておらず、利用者は好きなアーティストの新譜が配信されたにも拘わらず、これに気づかず、早いタイミングで歌唱する機会を逸しってしまうといった不都合がある。
【０００７】
そこで、本発明は、上記不都合を解消するために想到されたもので、すなわち、利用者が好むアーティストの新譜を容易かつ効率的に知らしめることができ、利用者ができるだけ早いタイミングでその新譜を歌唱できるようにする電子目次本機能付きカラオケリモコン装置の提供を課題とする。
【課題を解決するための手段】
【０００８】
上記課題と共に利用者が好みのアーティストの楽曲を歌唱したがる傾向を鑑み、本発明者らは、所定の検索モード、好ましくは曲名検索モードによる検索にてヒットしたカラオケ楽曲の中から、利用者が任意のカラオケ楽曲を指定した状態で新譜データ抽出操作を行った場合、当該指定楽曲と同じアーティストに属する新譜データがあれば、これを表示させる機能をカラオケリモコン装置に付帯させることで、上記課題を解決できることを見出し、本発明の電子目次本機能付きカラオケリモコン装置を想到した。
【０００９】
すなわち、本発明の請求項１記載のカラオケリモコン装置は、利用者が所望するカラオケ楽曲の検索機能や対応するカラオケ演奏装置への当該カラオケ楽曲の予約登録機能を有する電子目次本機能付きカラオケリモコン装置において、
新譜データとその抽出機能を備えてなり、対応するカラオケ演奏装置へカラオケ楽曲を予約登録する際、所定の検索モードによる検索にてヒットしたカラオケ楽曲の中から、利用者が任意のカラオケ楽曲を指定した状態で新譜データ抽出操作を行った場合、当該指定楽曲と同じアーティストに属する新譜データがあれば、これを表示させる機能を有してなることを特徴とする。
【００１０】
また、本発明の請求項２記載のカラオケリモコン装置は、請求項１記載のカラオケリモコン装置において、前記所定の検索モードが曲名検索モードであることを特徴とする。
【発明の効果】
【００１１】
したがって、本発明の請求項１記載のカラオケリモコン装置によれば、利用者の好きなカラオケ楽曲を所定の検索モード、好ましくは曲名検索モードによる検索にてヒットしたカラオケ楽曲の中から、利用者が任意のカラオケ楽曲を指定した状態で新譜データ抽出操作を行うだけで、指定楽曲と同じアーティストに属する新譜を表示できるため、利用者が好むアーティストの新譜を容易かつ効率的に知らしめることができ、利用者ができるだけ早いタイミングでその新譜を歌唱できるといった効果を奏する。
【００１２】
また、本発明の請求項２記載のカラオケリモコン装置によれば、利用者は、好きなカラオケ楽曲いわゆる「持ち歌」については、当然、その曲名を覚えていることから、通常、曲名検索モードを多く利用する傾向があり、また、この曲名検索モードを利用すれば、直接的に利用者の好きなカラオケ楽曲を指定できるため、さらに効率よく、利用者が好むアーティストの新譜を容易かつ効率的に知らしめることができといった効果を奏する。
【発明を実施するための最良の形態】
【００１３】
以下、本発明の電子目次本機能付きカラオケリモコン装置について、最適な実施例を挙げ、本発明を詳述する。
【実施例１】
【００１４】
図１は本発明の一実施例におけるカラオケリモコン装置の概略的外観図であり、（イ）は正面斜視図、（ロ）は背面斜視図である。先ず、（イ）に示すように、本実施例におけるカラオケリモコン装置（１）の本体（２）のサイズは両手を軽く開いた状態で持てる程度のもので、その形状は湾曲部を備えた略矩状のものである。そして、表示手段としては液晶ディスプレイ（以下、ＬＣＤと称す：３）が設けられ、このＬＣＤ（３）にはタッチセンサ方式の操作パネル（３ａ）が装着されている。さらに、本体正面の略上端部には、所定のカラオケ演奏装置に楽曲ＩＤコードなどを予約登録するために使用する発光ダイオードからなる赤外線転送部（以下、ＬＥＤと称す：図示省略）が設けられている。一方、（ロ）に示すように、本体背面の下端部には、カラオケリモコン装置（１）の二次電池に電力供給をするための充電器とデータの同期処理器を兼用した充電ステーション（通称「クレードル」）に装着接続したり、ＲＳ２３２Ｃ規格のデータ通信を行うための接続端子（５）が設けられている。
【００１５】
次に、図２に示す、カラオケリモコン装置の概略的ブロック構成図に基づき、本発明のカラオケリモコン装置の構造について詳述する。
【００１６】
本実施例のカラオケリモコン装置（１）は、ＬＣＤ（３）、操作パネル（３ａ）、操作制御手段（４）、接続端子（５）、中央制御手段（６）、通信インタフェイス（７）、フラッシュメモリ（８）、ＬＥＤ（９）などを主な構成要件としている。そして、外部記憶として機能するフラッシュメモリ（８）には、対応するカラオケ演奏装置（Ｐ）にて利用可能な各カラオケ楽曲について、それぞれの曲名データ、歌手名データ、歌詞の唄い出し部データ、そして、本発明に必要な新譜データなどといった各種データが、楽曲の属性情報として楽曲ＩＤコードに対応付けして格納されており、所定の検索エンジンと共に楽曲索引データベース（８ａ）を構築している。また、カラオケリモコン装置（１）がクレードル（ＣＲ）に装着された状態で、中央制御手段（６）は、通信インタフェイス（７）を介してカラオケ演奏装置（Ｐ）と通信し、新規のカラオケ楽曲についての属性情報などをダウンロードしてフラッシュメモリ（８）に格納することで、この楽曲索引データベース（８ａ）は適時に更新される。
【００１７】
さらに、中央制御手段（６）は、操作パネル（３ａ）からの操作入力情報を操作制御手段（４）を介して受け取ると、内部のＲＯＭ（図示省略）に用意されている画像データやこの画像データに操作入力情報に応じた処理結果を反映させた画像データをビデオＲＡＭ（図示省略）にビットマップ展開すると共に、ＬＣＤドライバ（図示省略）を制御してこのビットマップ画像をＬＣＤ（３）に表示出力させる。それによって、カラオケリモコン装置（１）は利用者にＧＵＩ環境を提供し、中央制御手段（６）が利用者とのＧＵＩ環境による対話を通じて楽曲索引データベース（８ａ）を検索し、その検索結果を表示出力させることで検索機能を実現している。
【００１８】
そして、中央制御手段（６）は、この検索機能によって最終的に１つのカラオケ楽曲を指定した状態で、その楽曲を演奏予約する旨の利用者入力があれば、該当の楽曲ＩＤコードを含んだ信号を生成し、その信号をＬＥＤドライバ（図示省略）に転送する。ＬＥＤドライバは、この信号を変調してＬＥＤ（９）に与えて、対応するカラオケ演奏装置（Ｐ）に演奏予約のための無線信号（Ｉｒ信号）としてこれを転送する。カラオケ演奏装置（Ｐ）は受け付けた楽曲ＩＤコードを演奏予約の待ち行列に登録し、この楽曲ＩＤコードに対応するカラオケ楽曲を順次演奏する。
【００１９】
本発明のカラオケリモコン装置においては、利用者の指定楽曲と同じアーティストに属する新譜データの抽出やその一覧表示に対する制御については中央制御手段が行い、その制御機構は、新譜データを蓄積した従来の楽曲索引データベースを利用できると共に、当該新譜データをキーとしたリンクシステムのソフト上の追加ないし変更にて、比較的容易に構築することができる。
【００２０】
以下、図３から図６に示す、本発明のカラオケリモコン装置の表示画面に基づき、本発明をさらに詳述する。
【００２１】
図３および図４は、それぞれ曲名検索モードによる検索手順を示すカラオケリモコン装置の表示画面である。図３に示すように、検索条件の選択画面（Ｄ１）には、新譜検索、曲名検索、歌手名検索、グループ検索、デュエット検索、ジャンル検索、あの頃検索などといった様々な検索モードを選択するためのアイコン列（１０）が設けられている。曲名検索モードで楽曲索引データベースを利用するためには、このアイコン列（１０）から曲名検索モードを選択する必要がある。具体的には、利用者が曲名検索モードに対応するアイコン（１０ａ）をタッチすればよい。
【００２２】
すると、曲名検索モードの検索画面（Ｄ２）が表出され、この表出画面が曲名検索モードである旨が表示（１３）される。本実施例の曲名検索モードの検索画面（Ｄ２）では、利用者の好きなカラオケ楽曲の曲名をキーワード入力する際、画面中央部に五十音順に整列された平仮名表示アイコン列（１２）を用い、画面上部の検索用キーワード入力部（１４）には任意の平仮名表示アイコン（１２）を選択して入力するようになっている。
【００２３】
この時、利用者は曲名を完全に覚えている必要はなく、また、曲名を完全に覚えていても全ての文字列を入力する必要もなく、通常は、曲名の部分文字列を入力し、この条件にての検索により、ヒットしたカラオケ楽曲から間接的に所望の楽曲を指定する。本実施例では、検索用キーワード入力部（１４）に、利用者の好きなカラオケ楽曲の曲名の頭部分である「あいの」（愛の）を入力した場合の検索入力画面が表示されている。そして、利用者が「さがす」アイコン（１５）にタッチすると、入力済みの部分文字列を条件に、楽曲索引データベースをもって曲名が照会される。
【００２４】
曲名がヒットされて検索結果が出ると、次に、図４に示すように、検索結果表示画面（Ｄ３）が表出される。この検索結果表示画面（Ｄ３）では、上記検索用キーワード入力部（１４）で入力された「あいの」で始まる曲名の検索条件に基づきヒットした楽曲情報（曲名・歌手名）を含む検索結果一覧（１６）が表示される。本実施例では複数ページに亘って表示され、この検索結果表示画面（Ｄ３）に示すのは第１ページ目の画面である。
なお、この検索結果表示画面（Ｄ３）については、この曲名検索モードに限らず、新譜検索、歌手名検索、グループ検索、デュエット検索、ジャンル検索、あの頃検索などといった様々な検索モードによる検索でも略同様な形式にて表示されるものである。
【００２５】
そして、その検索結果一覧（１６）の中から、利用者が所望するカラオケ楽曲のアイコン（１６ａ）をタッチすると、曲名、歌手名、唄い出し部、楽曲番号といった属性情報列（１７）からなる楽曲の属性情報表示画面（Ｄ４）が表出される。この画面（Ｄ４）が表出している状態とは、利用者が任意のカラオケ楽曲を指定した状態であり、この状態で「転送」アイコン（１９）にタッチすると、対応するカラオケ演奏装置に、この指定楽曲の演奏予約のための無線信号が転送される。
【００２６】
そして、利用者が好むアーティストの新譜を知るためには、利用者が新譜データ抽出操作を行えばよい。具体的には、指定楽曲の属性情報表示画面（Ｄ４）が表出している状態で、その属性情報列（１７）の一つである楽曲番号表示部（１７ａ）に設けられた「新譜情報」アイコン（１８）に利用者がタッチすればよい。
【実施例２】
【００２７】
なお、本発明はこれに限定されず、例えば、図６には新譜データの他の一覧表示操作方法が示されているが、その表示画面（Ｄ７）では、利用者は、先ず、「新譜情報」アイコン（２５）にタッチした後、続けて検索結果一覧（２４）の中から、利用者の好きなカラオケ楽曲のアイコン（２４ａ）をタッチして楽曲を指定すればよい。この場合でも、利用者が任意のカラオケ楽曲を指定した状態で新譜データ抽出操作を行ったことになるが、この場合では、上記指定楽曲の属性情報表示画面（Ｄ４）を表出させる必要はない。
【００２８】
次に、図５に示す、利用者の指定楽曲と同じアーティストに属する新譜データの一覧表示画面に基づき、当該新譜データの一覧表示例について詳述する。
【００２９】
利用者が上記の如くの新譜データ抽出操作を行うと、その指定楽曲と同じアーティストに属する新譜データの一覧表示画面（Ｄ５）が表出される。この画面（Ｄ５）には、新譜ジャンル表示部（２０）が設けられ、その表示部（２０）には、本実施例では、指定楽曲が「NewRelease」の新譜ジャンルに含まれることが明記され、そして、新譜データ一覧（２１）により利用者は好きなアーティストの新譜を知ることができる。なお、この画面（Ｄ５）からでも、上記画面（Ｄ３）と同様に、この新譜データ一覧（２１）の中から、利用者が所望する楽曲指定用アイコン（２１ａ）をタッチすると、曲名、歌手名、唄い出し部、楽曲番号といった属性情報列（２２）からなる楽曲の属性情報表示画面（Ｄ６）を表出できる。
【００３０】
なお、この属性情報表示画面（Ｄ６）では、既に利用者が新譜を知り得たため、その属性情報列（２２）の一つである楽曲番号表示部（２２ａ）には、上記属性情報表示画面（Ｄ４）にあるような「新譜情報」アイコンは設けられていない。ただし、上記属性情報表示画面（Ｄ４）と同様、「転送」アイコン（２３）が設けられており、利用者がこの「転送」アイコン（２３）にタッチすると、対応するカラオケ演奏装置に、この指定楽曲の演奏予約のための無線信号が転送される。また、この属性情報表示画面（Ｄ６）から、通常の曲名検索モードの検索結果表示画面（Ｄ３）に戻りたい場合には、この画面（Ｄ６）に設けられた「もどる」アイコン（２７）にタッチして、新譜データの一覧表示画面（Ｄ５）に一旦戻り、さらに、この画面（Ｄ５）に設けられた「もどる」アイコン（２８）に再度タッチすれば、上記属性情報表示画面（Ｄ４）を経ることなく、曲名検索モードの検索結果表示画面（Ｄ３）に戻れるように設定されている。
【００３１】
以上、詳述したように、本発明の電子目次本機能付きカラオケリモコン装置によれば、所定の検索モードによる検索にてヒットしたカラオケ楽曲の中から、利用者が任意のカラオケ楽曲を指定した状態で新譜データ抽出操作を行った場合、当該指定楽曲と同じアーティストに属する新譜データがあれば、これを表示させることで、利用者が好むアーティストの新譜を容易かつ効率的に知らしめることができ、利用者ができるだけ早いタイミングでその新譜を歌唱できる。
【図面の簡単な説明】
【００３２】
【図１】本発明のカラオケリモコン装置の概略的外観図。
【図２】カラオケリモコン装置の概略的ブロック構成図。
【図３】曲名検索モードによる検索手順を示す表示画面。
【図４】曲名検索モードによる検索手順を示す表示画面。
【図５】指定楽曲と同じアーティストに属する新譜データの一覧表示画面。
【図６】新譜データの他の一覧表示操作方法を示す表示画面。
【図７】新譜検索モードの表示画面。
【符号の説明】
【００３３】
１  カラオケリモコン装置
６  中央制御手段
８  フラッシュメモリ
８ａ  楽曲索引データベース
１６  検索結果一覧
１７，２２  属性情報列
１７ａ  楽曲番号表示部
１８  「一覧表示」アイコン
１９  「転送」アイコン
２０  新譜ジャンル表示部
２１  新譜データ一覧
１６ａ，２１ａ，２４ａ  楽曲指定用アイコン
Ｄ１  検索条件の選択画面
Ｄ２  曲名検索モードの検索画面
Ｄ３  検索結果表示画面
Ｄ４，Ｄ６  属性情報表示画面
Ｄ５  指定楽曲と同じアーティストに属する新譜データの一覧表示画面
Ｄ７  新譜データの他の一覧表示画面
【図１】
2005283806.tif 000003
【図２】
2005283806.tif 000004
【図３】
2005283806.tif 000005
【図４】
2005283806.tif 000006
【図５】
2005283806.tif 000007
【図６】
2005283806.tif 000008
【図７】
2005283806.tif 000009